(57)【特許請求の範囲】
【請求項１】
アルミ箔等の防湿シート本体、この防湿シート本体の下面外周部に該防湿シート本体の外周部にしわが生じないように接着剤や粘着剤で枠状に固定されたしわ防止板とからなる押し花飾用防湿シートと、この押し花飾用防湿シートの上面に該押し飾用花防湿シートのしわ防止板の内側部位に外周部が位置する台紙と、この台紙上に配置された押し花と、前記押し花飾用防湿シートの上部を覆い、該押し花飾用防湿シートのしわ防止板と対応する部位で接着剤や粘着剤によって密封状態で固定されたガラス板あるいはアクリル板等の透明板とからなることを特徴とする押し花飾。
【請求項２】
アルミ箔等の方形の防湿シート本体、この防湿シート本体の下面外周部に該防湿シート本体の外周部にしわが生じないように、少なくとも１箇所以上の角部に隙間を有するように接着剤や粘着剤で枠状に固定されたしわ防止板とからなる押し花飾用防湿シートと、この押し花飾用防湿シートの上面に該押し飾用花防湿シートのしわ防止板の内側部位に外周部が位置する台紙と、この台紙上に配置された押し花と、前記押し花飾用防湿シートの上部を覆い、該押し花飾用防湿シートのしわ防止板と対応する部位で接着剤や粘着剤によって密封状態で固定されたガラス板あるいはアクリル板等の透明板とからなることを特徴とする押し花飾。
【請求項３】
アルミ箔等の防湿シート本体と、この防湿シート本体の上面に該防湿シート本体の外周部を除く内側部位に外周部が位置する台紙と、この台紙上に配置された押し花と、前記防湿シート本体の上部を覆い、該防湿シート本体の外周部と対応する部位で接着剤や粘着剤によって密封状態で固定されたガラス板あるいはアクリル板等の透明板と、この透明板と前記防湿シート本体の接着部位の該防湿シート本体にしわが生じないように接着剤や粘着剤で枠状に固定されたしわ防止板とからなることを特徴とする押し花飾。
【請求項４】
アルミ箔等の防湿シート本体と、この防湿シート本体の下面外周部に該防湿シート本体の外周部にしわが生じないように接着剤や粘着剤で枠状に固定されたしわ防止板とからなることを特徴とする押し花飾用防湿シート。
【請求項５】
アルミ箔等の方形の防湿シート本体と、この防湿シート本体の下面外周部に該防湿シート本体の外周部にしわが生じないように、少なくとも１箇所以上の角部に隙間を有するように接着剤や粘着剤で枠状に固定されたしわ防止板とからなることを特徴とする押し花飾用防湿シート。
【請求項６】
しわ防止板は外周部を除く内側部位を接着剤や粘着剤によって防湿シート本体に固定されていることを特徴とする請求項４、５記載の押し花飾用防湿シート。
【発明の詳細な説明】
【０００１】
【発明の属する技術分野】
本発明は押し花を額縁等に収納して飾ることができる押し花飾および押し花飾用防湿シートに関する。
【０００２】
【従来の技術】
従来の押し花飾はアルミ箔の上面に台紙と押し花を配置し、これらを覆うようにアクリル板を位置させ、該アクリル板の外周部と前記アルミ箔の外周部とを接着剤で密封状態に固定している。
【０００３】
【発明が解決しようとする課題】
従来の押し花飾は内部に台紙や押し花が配置されたアクリル板の外周部とアルミ箔の外周部とを接着剤で固定して密封しているが、接着剤で固定されるアルミ箔は柔らかく、接着部にしわが生じ、このしわによって密封状態を長期間保つことができないという欠点があった。
【０００４】
本発明は以上のような従来の欠点に鑑み、アルミ箔等の防湿シート本体の接着剤でガラス板あるいはアクリル板等の透明板に接着される部位にしわが生じるのを確実に防止することができるとともに、接着固定作業時に容易に確実に接着固定でき、かつ防湿シート本体を損傷させるのを確実に阻止することができる押し花飾および押し花飾用防湿シートを提供することを目的としている。
【０００５】
本発明の前記ならびにそのほかの目的と新規な特徴は次の説明を添付図面と照らし合わせと読むと、より完全に明かになるであろう。
ただし、図面はもっぱら解説のためのものであって、本発明の技術的範囲を限定するものではない。
【０００６】
【課題を解決するための手段】
上記目的を達成するために、本発明はアルミ箔等の防湿シート本体、この防湿シート本体の下面外周部に該防湿シート本体の外周部にしわが生じないように接着剤や粘着剤で枠状に固定されたしわ防止板とからなる押し花飾用防湿シートと、この押し花飾用防湿シートの上面に該押し飾用花防湿シートのしわ防止板の内側部位に外周部が位置する台紙と、この台紙上に配置された押し花と、前記押し花飾用防湿シートの上部を覆い、該押し花飾用防湿シートのしわ防止板と対応する部位で接着剤や粘着剤によって密封状態で固定されたガラス板あるいはアクリル板等の透明板とで押し花飾を構成している。
【０００７】
また、本発明はアルミ箔等の防湿シート本体と、この防湿シート本体の下面外周部に該防湿シート本体の外周部にしわが生じないように接着剤や粘着剤で枠状に固定されたしわ防止板とで押し花飾用防湿シートを構成している。
【０００８】
【発明の実施の形態】
以下、図面に示す実施の形態により、本発明を詳細に説明する。
【０００９】
図１ないし図６に示す本発明の第１の実施の形態において、１は額縁２に収納して飾ることができる本発明の押し花飾で、この押し花飾１は防湿の軟質合成樹脂シートあるいはアルミ箔等の方形の防湿シート本体３、この防湿シート本体３の下面外周部に該防湿シート本体３の外周部にしわが生じないように粘着剤や接着剤４で固定された、厚紙等で枠状に形成されたしわ防止板５とからなる押し花飾用防湿シート６と、この押し花飾用防湿シート６の上面に乾燥剤７や脱酸素剤８を介して、該押し花飾用防湿シート６のしわ防止板５の内側部位に外周部が位置する台紙９と、この台紙９上に配置された押し花１０と、前記押し花飾用防湿シート６の上部を覆い該押し花飾用防湿シート６のしわ防止板５と対応する部位で固定されたガラス板あるいはアクリル板等の透明板１２とで構成されている。
【００１０】
上記構成の押し花飾１は、透明板１２と押し花飾用防湿シート６とを接着剤１１で固定する場合、押し花飾用防湿シート６を中央部より外方へ押し圧し、内部の空気を除去しながら押し花飾用防湿シート６のしわ防止板５を押し圧して固定する。
このようにして作られた押し花飾１は図６に示すように、額縁２に収納して飾られる。
【００１１】
【発明の異なる実施の形態】
次に、図７ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図７ないし図９に示す本発明の第２の実施の形態において、前記本発明の第１の実施の形態と主に異なる点は、防湿シート本体３の下面外周部に１箇所の角部に隙間１３を有する枠状のしわ防止板５Ａを粘着剤や接着剤４で固定された押し花飾用防湿シート６Ａを用いた点で、このように形成された押し花飾用防湿シート６Ａを用いて構成した押し花飾１Ａにしても、前記本発明の第１の実施の形態と同様な作用効果が得られるとともに、透明板１２への粘着剤や接着固定時の空気抜きをしわ防止板５Ａの隙間１３よりストロー等を用いて行ない、該部位を押し圧して密封固定する作業を容易に行なうことができる。
【００１３】
図１０ないし図１２に示す本発明の第３の実施の形態において、前記本発明の第２の実施の形態と主に異なる点は、防湿シート本体３の下面外周部の対向する一方の角部に隙間１３、１３を有する枠状にしわ防止板５Ｂ、５Ｂを粘着剤や接着剤４、４で固定した押し花飾用防湿シート６Ｂを用いた点で、このように形成された押し花飾用防湿シート６Ｂを用いて構成した押し花飾１Ｂにしても、前記本発明の第２の実施の形態と同様な作用効果が得られる。
【００１４】
図１３ないし図１５に示す本発明の第４の実施の形態において、前記本発明の第２の実施の形態と主に異なる点は、防湿シート本体３の下面外周部の角部に隙間１３、１３、１３、１３を有する、枠状にしわ防止板５Ｃ、５Ｃ、５Ｃ、５Ｃを粘着剤や接着剤４、４、４、４で固定した押し花飾用防湿シート６Ｃを用いた点で、このように形成された押し花飾用防湿シート６Ｃを用いて構成した押し花飾１Ｃにしても、前記本発明の第２の実施の形態と同様な作用効果が得られる。
【００１５】
図１６ないし図１８に示す本発明の第５の実施の形態において、前記本発明の第１の実施の形態と主に異なる点は、しわ防止板５の外周部を除く部位を粘着剤や接着剤４で防湿シート本体３に固定した押し花飾用防湿シート６Ｄを用いた点で、このように形成された押し花飾用防湿シート６Ｄを用いて構成した押し花飾１Ｄにしても、前記本発明の第１の実施の形態と同様な作用効果が得られるとともに、しわ防止板５の弾性力によって、防湿シート本体３を透明板１２に常時押し圧するように作用させることができる。
【００１６】
図１９ないし図２１に示す本発明の第６の実施の形態において、前記本発明の第１の実施の形態と主に異なる点は、防湿シート本体３の外周部と透明板１２の外周部とを接着剤あるいは粘着剤で密封状態に固定した後、防湿シート本体３の接着部位にしわが生じないように接着剤あるいは粘着剤で枠状に各辺に板状の４個のしわ防止板５Ｃ、Ｌ字状の２個のしわ防止板５Ｂ、一部を切り欠いた枠状のしわ防止板５Ａあるいは枠状のしわ防止板５、本発明の実施の形態では枠状のしわ防止板５を固定した点で、このように構成した押し花飾１Ｅにしても、前記本発明の第１の実施の形態と同様な作用効果が得られる。
【００１７】
なお、前記本発明の各実施の形態では防湿シート本体３と、しわ防止板５、５Ａ、５Ｂ、５Ｃとを粘着剤や接着剤４で固定するものについて説明したが、本発明はこれに限らず、両面接着テープの接着剤で固定してもよい。
また、台紙９は厚紙、クッション性を有するシート材、乾燥剤が含浸されたシート材等、台紙として使用できるものであれば何でもよい。
【００１８】
【発明の効果】
以上の説明から明らかなように、本発明にあっては次に列挙する効果が得られる。
【００１９】
（１）アルミ箔等の防湿シート本体、この防湿シート本体の下面外周部に該防湿シート本体の外周部にしわが生じないように接着剤や粘着剤で枠状に固定されたしわ防止板とからなる押し花飾用防湿シートと、この押し花飾用防湿シートの上面に該押し飾用花防湿シートのしわ防止板の内側部位に外周部が位置する台紙と、この台紙上に配置された押し花と、前記押し花飾用防湿シートの上部を覆い、該押し花飾用防湿シートのしわ防止板と対応する部位で接着剤や粘着剤によって密封状態で固定されたガラス板あるいはアクリル板等の透明板とで構成されているので、防湿シート本体の接着剤で透明板に固定される外周部がしわ防止板によって、しわが生じないように固定することができる。
したがって、確実に密封状態で防湿シートと透明板とを固定することができ、従来のように接着部にしわが生じて、密封状態を長期間保つことができない等の不具合を阻止することができる。
【００２０】
（２）前記（１）によって、防湿シート本体と透明板との接着固定時にしわ防止板を押し圧して行なうことができる。
したがって、従来のように防湿シート本体を直接押し圧しないので、損傷するのを確実に防止することができるとともに、押し圧はしわ防止板を介して行なうため、広い面積にわたって押し圧でき、均一な押し圧による均一な接着固定を行なうことができる。
【００２１】
（３）前記（１）によって、防湿シートの外周部にしわ防止板が接着固定されているので、従来のように取り扱い時に防湿シートの外周部にしわが生じたりするような不具合が発生するのを確実に防止することができる。
したがって、常に最適な状態で使用することができる。
【００２２】
（４）請求項２、３、４も前記（１）〜（３）と同様な効果が得られる。
【図面の簡単な説明】
【図１】本発明の第１の実施の形態の正面図。
【図２】本発明の第１の実施の形態の背面図。
【図３】図１の３−３線に沿う断面図。
【図４】本発明の第１の実施の形態の分解斜視図。
【図５】本発明の第１の実施の形態の押し花飾用防湿シートの説明図。
【図６】本発明の第１の実施の形態の使用状態の説明図。
【図７】本発明の第２の実施の形態の正面図。
【図８】図７の８−８線に沿う断面図。
【図９】本発明の第２の実施の形態の押し花飾用防湿シートの説明図。
【図１０】本発明の第３の実施の形態の正面図。
【図１１】図１０の１１−１１線に沿う断面図。
【図１２】本発明の第３の実施の形態の押し花飾用防湿シートの説明図。
【図１３】本発明の第４の実施の形態の正面図。
【図１４】図１３の１４−１４線に沿う断面図。
【図１５】本発明の第４の実施の形態の押し花飾用防湿シートの説明図。
【図１６】本発明の第５の実施の形態の正面図。
【図１７】図１６の１７−１７線に沿う断面図。
【図１８】本発明の第５の実施の形態の押し花飾用防湿シートの説明図。
【図１９】本発明の第６の実施の形態の正面図。
【図２０】図１９の２０−２０線に沿う断面図。
【図２１】本発明の第６の実施の形態の分解斜視図。
【符号の説明】
１、１Ａ、１Ｂ、１Ｃ、１Ｄ、１Ｅ：押し花飾、
２：額縁、              ３：防湿シート本体、
４：粘着剤や接着剤、
５、５Ａ、５Ｂ、５Ｃ：しわ防止板、
６、６Ａ、６Ｂ、６Ｃ、６Ｄ：押し花飾用防湿シート、
７：乾燥剤、            ８：脱酸素剤、
９：台紙、              １０：押し花、
１１：接着剤、          １２：透明板、
１３：隙間。
【図１】
0004587572.tif 000002
【図２】
0004587572.tif 000003
【図３】
0004587572.tif 000004
【図４】
0004587572.tif 000005
【図５】
0004587572.tif 000006
【図６】
0004587572.tif 000007
【図７】
0004587572.tif 000008
【図８】
0004587572.tif 000009
【図９】
0004587572.tif 000010
【図１０】
0004587572.tif 000011
【図１１】
0004587572.tif 000012
【図１２】
0004587572.tif 000013
【図１３】
0004587572.tif 000014
【図１４】
0004587572.tif 000015
【図１５】
0004587572.tif 000016
【図１６】
0004587572.tif 000017
【図１７】
0004587572.tif 000018
【図１８】
0004587572.tif 000019
【図１９】
0004587572.tif 000020
【図２０】
0004587572.tif 000021
【図２１】
0004587572.tif 000022